(57)【要約】【課題】窓ガラス部材に防犯、防災センサを設けて損壊と不正侵入の検知、関係部署へ報知を行って居住者の安全を確保するのと、定期的なメンテナンスを行うシステムと保障の方法を提供する。【解決手段】ガラス部材に微小なＲＦＩＤＩＣタグチップによって構成した破壊センサを透明な薄膜体上に備える。この透明な薄膜体センサは既存の窓ガラスに貼り付けることが可能である。家宅、オフィスにＲＦＩＤＩＣタグから発信する信号を受信する無線集端装置を備える。この集端装置は、携帯無線網、情報通信網を通してガラス管理センターに接続する。管理センターは２４時間体制で監視を行う。異常が報知されれば異常状態の程度に応じて、代理人を派遣して、近隣住民の協力を得て状況を把握してから最寄の警察、消防に通報して被害者の安全と財産の保全を確保する。顧客と定期メンテナンス契約をして所定の経費を負担してもらって、管理センターを運営する。【選択図】図１
2008027416.tif 000002
【特許請求の範囲】
【請求項１】
ガラス部材の窓ガラス、人の出入り口、車両等のガラス構造部にＲＦＩＤ（無線移動識別素子）ＩＣタグより構成したセンサを添付して、ガラス部材の破損、不正侵入を検知する手段と、
該センサは、透明薄膜部材上に構成してガラス部材に貼り付け可能とした事を特徴とする防犯と防災の対処方法。
【請求項２】
前記請求項１のセンサから発信する信号を家宅、オフィスに設けた微弱無線集端装置ＴＡにて受信して、ガラス部材を管理するセンターを情報通信網上に設けて、該センサからきた信号の解析を行って異常状態か正常であるか判断する手段としての管理センターを情報通信網上に設けた事を特徴とする防犯と防災の対処方法。
【請求項３】
ガラス部材と防犯センサ、防災センサの定期的にメンテナンスをする手段として、該管理センターの運営経費に顧客から一定の料金を徴収する事を特徴とする防犯と防災の対処方法。
【請求項４】
前記請求項３において、該センサは所定の定期メンテナンス時に薄膜透明体状で構成されテープ状の構造を備えて、かつ容易にガラス部材に電池を包含して、張り替え可能にした事を特徴とする防犯と防災の対処方法。
【請求項５】
前記請求項１に記載のセンサと家宅に緊急ボタンを備えて、家宅内にて異常事態が発生した際に、緊急ボタンを押圧して該管理センターに報知する手段と、
管理センターにて異常の状態を認識して異常の程度に応じて介護人、又は警察、消防に出動要請する事を特徴とする防犯と防災の対処方法。
【請求項６】
前記請求項５において、緊急ボタンを押したとき家宅に設けてある警報音と警報照明灯が作動して周囲に報知する手段を備えた事を特徴とする防犯と防災の対処方法。
【請求項７】
前記請求項６に記載の警報音は、所定時間鳴動したら停止するのと、当初高い音量で周囲に報知して、その後低い音量と表示灯の点滅によって近隣に報知する手段を有する事を特徴とする防犯と防災の対処方法。
【請求項８】
前記請求項６に記載の異常事態の程度の把握は、該管理センターと契約したガラス部材の補修会社、近隣住民、民生委員の確認によって、該管理センターが認識して、最寄の警察、消防に出動要請する事を特徴とする防犯と防災の対処方法。
【請求項９】
情報通信網上に設けたガラス部材管理センターは、国際情報通信網と接続していて、国際時差を利用するのと少なくとも８時間の時差のある地域に複数個所の管理センターを設けて２４時間監視する事を特徴とする防犯と防災の対処方法。
【発明の詳細な説明】
【技術分野】
【０００１】  本発明は、窓ガラス部材等の破損と不正侵入の検出、災害等異常事態の対応と総合的な管理システムに関する。
【背景技術】
【０００２】  近年、生活様式の変化と伴に夫婦共働きが多くなってきた。従って家庭も留守が多く幼児の大半は施設に預けている。かつ高齢化によって独居老人の家庭が増えてきた。それに伴って、家宅への不正侵入によって犯罪に巻き込まれたり、事故が多発し特に老人介護のケアが社会問題になっている。【０００３】  今までは、地域自治体や近隣住民の善意にすがってこれまで対処してきた。さらに警察による警備体制では善良な市民を守れなくなってきたし、近隣関係も希薄でなって安心できない状態にある。家宅に係わらず、オフィス、店舗等の犯罪、盗難も多発しているのが現状である。【０００４】  一方、技術の進展は急速である。特にユビキタス（ｕｂｉｑｕｉｔｏｕｓ）とインターネットの利用は、一般底辺層に拡大した。さらに、携帯電話網の社会への浸透は、凄まじい勢いで波及した。携帯電話機、パソコン、ＰＤＡ（ｐｅｒｓｏｎａｌ  ｄｉｇｉｔａｌ  ａｓｓｉｓｔａｎｔ）は、老若男女を問わず各人が所有するまでになった。一般にいうユビキタス（ｕｂｉｑｕｉｔｏｕｓ）社会である。ユビキタス・コンピューテングあるいは、ユビキタス・ネットワーキングともいう。【０００５】  ユビキタス社会とは、どこにでもコンピュータの能力があって、インターネット（ｉｎｔｅｒｎｅｔ）が付随して情報通信をサポートし、サービスの利便性が一層向上した社会を意味する。我々人類は、多方面に恩恵が受けられる技術である。【０００６】  それに微弱電波の利用が活発になってきた。ブルーツース（ｂｌｕｅｔｏｏｔｈ）や赤外線通信ＩｒＤＡ（ｉｎｆｒａｒｅｄ  ｄａｔａ  ａｓｓｏｃｉａｔｉｏｎ）を利用したホット・スポット（ｈｏｔｓｐｏｔ）の普及も顕著である。これによって、屋内の情報通信は無配線で連絡できる。【０００７】  ホット・スポットは、ＩＥＥＥ（ｉｎｓｔｉｔｕｔｅ  ｏｆ  ｅｌｅｃｔｒｉｃａｌ    ａｎｄ  ｅｌｅｃｔｒｏｎｉｃｓ  ｅｎｇｉｎｅｅｒｓ：電気電子分野における国際規格を推進する国際電気標準会議）微弱電波を使った無線ＬＡＮである。ＩＥＥＥ８０２．１１ａの５，２Ｇｈｚと８０２．１１ｂの２，４Ｇｈｚが一般的に使われている。【０００８】  又、近年微小ＣＰＵを使ったＩＣタグチップが実用になった。ＩＣタグチップはＲＦＩＤ（ｒａｄｉｏ  ｆｒｅｑｕｅｎｃｙ  ｉｄｅｎｔｉｆｙ  ｄｅｖｉｃｅ：無線移動識別素子）チップともいう。微小な無線応答装置であって、内蔵アンテナを含んでいて１ｍｍ２程度で構成できる。２．５ＧＨｚ帯のものは、到達距離１．５メートルと短いがＵＨＦ（９５０〜９５６ＭＨｚ）帯のＩＣタグチップは、１０メートルと長いから本発明の実用化に有効である。今や、交通管制システムにまで応用されている。【０００９】  ガラスの破損、不正侵入には単純な発信回路を付加するだけでも検出はできる。しかし、情報通信網を活用してきめ細かなサービスを迅速に顧客に提供するには、１ｍｍ２中にＣＰＵ，メモリ、アンテナを含んだ微小コンピュターチップのほうが情報量は莫大に多いから有利である。【００１０】  従って、インターネットのような情報通信網を組み合せて使えば顧客に満足させるサービスと安全を提供できる。従来の方法はガラスが破損する時の衝撃波や、ガラスに導電線���張って導電線の切断によって検知していた。いずれも情報通信網との連携は難しいので警報を発する程度であって、かつ誤動作も多く実用に至っていない。【００１１】  さらに現在では、単に不正侵入の検知、報知だけでは意味がない。犯人の迅速な逮捕と家宅人、一般人の安全の確保が重要である。防犯だけでなく高齢化に伴う独居老人の介護の必要は社会的な要求である。
【特許文献１】  特開  ２００２−１３３５３７
【特許文献２】  特開平１０−３２６３８５
【非特許文献１】  日経コミュニケーション「世界に取り残される無線ＩＣタグチップ」２００４年８月１５日号
【発明の開示】
【発明が解決しようとする課題】
【００１２】  解決しようとする問題点の一つは、犯罪に対する予防と防衛、財産、生命の安全の確保である。ガラスの破損検出は従来技術で達成できる。問題は破損の程度と、不正侵入から人と財産を守ることにある。警報を発して周囲に知らせるだけでは、万全ではない。【００１３】  損害を最小限にするのと、修復を速く行うことが肝要である。それに犯人逮捕を迅速に行う必要がある。顧客に損害を与えないために不正侵入を未然に防ぐ事と、犯罪に巻き込まれたら対応を早く行って顧客の生命、財産を守ることにある。【００１４】  犯罪だけでなく、風水害等の防災に注力して顧客の財産、生命の安全を確保する。近年異常気象によって、大雨、水害、がけ崩れが多発している。さらに、独居老人の介護も大きな社会問題に発展している。
【課題を解決するための手段】
【００１５】  本発明は、上記課題を解決するためにガラス部材上に微小ＩＣタグチップを設けた破壊センサを備える。この破壊センサは、ＣＰＵ，メモリ、高周波発信部が一体となった構成で、ガラス部材の品種、装着年月日、補修の状況、顧客名、場所、位置等の情報を記憶してある。破壊センサは、ＩＣタグに接続してあるインピーダンス、誘電率の変化を検知する導体からガラスの破断、不正侵入を検知する。【００１６】  異常の程度は、ＴＡ（ターミナルアダプタ：集端装置）から質問信号を発信して、破壊センサから受信信号の変調度によって検知できる。異常が発生した場合には、直ちに公衆情報通信網を介して管理センターと、家宅、オフィスの責任者の携帯電話機、パソコンに異常の状態を知らせる。家宅、オフィスに異常を警報する照明灯、警報音を発生させて周囲に報知する。【００１７】  同時にメンテナンス会社のサイトにも異常の程度が入力されて修復情報、金額が見積もられて本人に知らす。保険会社にも通報されて保険加入の程度、被害状況に応じて保障の金額が被害者とガラス会社にも提示される。【００１８】  不正侵入等の犯罪が検出された場合は、管理センターが異常の程度、不正侵入を確認して警察に通報する。ガラス破損、異常検知、本人通報、補修会社、管理センター、保険会社と警察、地域近隣への通報を本発明によるシステムによって効率よく達成できる。【００１９】  破壊センサと伴に、緊急信号発信ボタンを備える。この目的は、高齢者、病弱者用の緊急信号の発信である。これを押すと家宅に備えてある、警報ランプと警報音が発生して周囲に報知する。管理センターはこの緊急信号を受信すると、状況の確認をおこなう。【００２０】  家宅に備えた監視カメラ、ＴＶ電話によって本人の状況を観察する。あるいは、近隣の保護者、代理人が確認したり、管理センターと契約している警備会社、補修会社の要員に観察しに行かせる。これらの情報をもとに管理センターは、消防署の救急車の出動要請したり、警察に通報する。
【発明の効果】
【００２１】  本発明のガラス破損検出装置と不正侵入検知器は、簡単な透明体で構成したＲＦＩＤタグチップを添付するだけで達成できる。かつＲＦＩＤタグチップからのパルス変調幅、デューティ比によって破損個所と被害の程度を把握できる。【００２２】  集端装置にて破損、異常を検知したら、管理センターが状況の把握をおこなう。管理センターより異常の程度に応じて、最寄の警察署、消防署に通知して出動要請を行う。異常の確認は、近隣住民、地域自治体、あるいは管理センターと契約している警備会社、ガラス材の補修会社が行う。【００２３】  管理会社は家宅、オフィスの責任者にインターネット等の情報通信網を活用して本人に通知できる。かつ、不正侵入を検知した場合には、警報ランプ、警報音を発生して周囲に知らせるのと、警備保障会社、警察に迅速に報知して犯罪の追跡と予防に効果をあげる。メンテナンスを早急に行うために、費用の見積、請求を財産の所有者にいち早く知らせて、保険会社より代金の支払いを行うから人の手を煩わさないで、利便性と効率があがる。【００２４】  本発明は、独居老人、病弱者、乳幼児、児童の監視と保護を目的にする。緊急ボタンを家宅、オフィスに設置してあって、これを押すと管理センターに通報されて、状況確認を行う。前記説明したように、種々な手段をつかって現場確認を行う。【００２５】  そして警察、消防の出動要請を行って、弱者を保護できる。本発明による管理センターは時差を利用して、国際インターネット網、国際情報通信網によって少なくとも８時間時差がある３ヶ所に設置する。このようにすれば、２４時間体制で監視でき人件費を安くして運営出来るという、メリットがある。
【発明を実施するための最良の形態】
【００２６】  本発明は、ガラス部材で構成した窓ガラス、扉、ショーウインド、ショーケース等の破損と不正侵入の検出と犯罪の予防をおこなって、財産と安全を確保する方法を提供するものである。かつ、ガラス会社の定期的メンテナンスを行う。ＩＣタグチップは、膨大な情報を貯えられるから、材料の履歴、形状、材質、設置年月日、施工者等各種情報が記憶されている。【００２７】  ガラス会社は独自にコールセンターを情報通信網、インターネット上に設けて、２４時間体制で防犯、防災の監視を行っている。老人、病弱者に事故があれば契約してある警備会社、ガラス材の補修業者が確認して、１１０番、１１９番通報をおこなって被害者の救援と損害を最小限に抑えられる。
【第１実施形態】
【００２８】  図１は、は本発明の全体構成を示す。１１の情報通信網は国際網と接続していて２８は、海外網の一例を示している。１２はガラス会社のコールセンター（管理センター）１９と接続している情報通信網上のサイトである。２１は１９と接続する通信線である。
【００２９】  １９はサーバ２０、２１をＬＡＮ（ｌｏｃａｌ  ａｒｅａ  ｎｅｔｗｏｒｋ）４２によって接続している。さらに２２の電話端末機は電話回線２３にて最寄の警察署、消防署と通話連絡できる。コールセンター１９は、サーバに顧客の家宅、オフィス、ビル、建物のガラス材の破損、人の進入を監視している。異常が起これば監視員が直ちに異常状態の確認作業を行う。
【００３０】  １１の情報通信網には、１３のガラス材の補修業者サイトがあって、コールセンター１９の要請によって補修作業をするのと、警備会社の代行をして家宅の状況を確認する人を派遣する。異常の程度をコールセンター１９に報告して状況に応じて１１０番通報したり、１１９番通報して出動を要請する。
【００３１】  １７は携帯無線会社の基地局であって、３７はＰＨＳ，携帯無線電波である。１６は専用線で情報通信網１１にある携帯無線会社のサイト１５に接続している。１３のサイトはガラス材会社の補修とメンテナンスを行う会社のサイトであって、事故、異常事態発生時の確認に人を派遣して、警備会社の代行業を行う。
【００３２】  ２６の国際網との接続サイトは国際回線を経由して海外網２８に接続される。２７は海外網の接続サイトである。２９は海外にあるコールセンターであって１９と同じ構成になっている。海外に少なくとも３，４箇所にコールセンターを設置しておけば２４時間体制の管理が可能である。
【００３３】  日本を中心にした場合、日本、ヨーロッパ、米国に設ければ２４時間カバーできる。かつ海外にて本システムを事業化すれば、ガラス材の補修を主体にした防犯、防災、介護の事業展開が海外でも可能になる。
【００３４】  情報通信網１１にある１４のサイトは公衆通信線３０との接続を行う。３０には一般の家宅３１、３２、オフィス３３、工場３４へ情報通信回線として接続する。これら家宅、オフィス、工場の窓ガラス、扉にはガラス破損センサ、人進入検知センサを備えていて、１９のコールセンター（監視、管理センター）において、２４時間体制でウオッチしている。
【００３５】  異常事態が発生したら、まず４０の警報音が大きき鳴動して警報灯が点滅、回転して周囲に報知する。１９のコールセンターは当然、異常の内容を把握して必要な処置をとる。警備員を派遣したり、あるいは近隣住民、民生委員に連絡を取る。必要に応じて最寄の警察、消防に出動要請をかける。
【００３６】  ４１は異常事態を知らせる警報音、照明灯である。３５は家宅、オフィス、工場等に設けた無線アンテナであって、家宅、構内で異常を検知したときに携帯無線網で１９のコールセンターに報知するのと、家宅、オフィス、工場の責任者３９の携帯電話機に緊急連絡する。３８は携帯電話機、携帯端末機器である。
【００３７】  以上説明したように、第１実施形態では本発明によると１９のコールセンターはガラスの破損、何を原因にして破壊されたか、人の侵入はあったか、火事、風水害、事故あるいは老人、子供、要介護者に異常が起こったかどうか海外ネットワークを使って、２４時間体制で監視する。異常事態であれば、最寄りの警察、消防に出動要請することが出来るという、きわめて迅速に防犯、防災に対応できるシステムを提供する。
【第２実施形態】
【００３８】  図２は第２実施形態の家宅内の構成を示す。５１は一般の家宅の内部構成を示した図である。１１はインターネット網、携帯無線網、電話回線等の情報通信網である。１７は携帯無線会社基地局であって、１６は専用線で１１のサイト１５に接続している。
【００３９】  １４は一般公衆通信サイトであって、図１にて説明したように１１にはコールセンター１９が接続している。３５は家宅にある携帯無線アンテナであって、３７は携帯無線電波である。図１において説明したように、１１の情報通信網は海外のネットワーク網に接続している。
【００４０】  ５２は家宅の窓ガラスである。５３はドア、玄関であって５４は家宅５１のロフト（屋根裏部屋）にある採光用のガラス窓である。これらのガラス窓には、ガラス破壊センサ、人の不正侵入センサ、それに図示していない緊急ボタンが各部屋に備えてある。破壊センサ５５はＲＦＩＤ、ＩＣタグで構成している。このＲＦＩＤタグ（以下ＩＣタグと称す）で構成した破壊センサ５５を各所にあるガラスに添付している。
【００４１】  図２において、この破壊センサ５５は、５５ａ〜５５１と示している。５６は無線集端末（ＴＡ：ｔｅｒｍｉｎａｌ  ａｄａｐｔｅｒ）であって、５２のガラスに添付している破壊センサ５５に質問信号を送って、異常の有無のチェックを行う。異常が発生したときには、ＴＡに割り込み信号が入って、３５の携帯無線網、１１の情報通信網を介在してコールセンター１９に通報される。
【００４２】  ５７はＴＡのアンテナであって、５５からの信号を受信するのと、定期的に５５に向けて質問信号を発信して家宅の状態を順次コールセンターに知らせる。４０は異常を周囲に報知するサイレン、及び表示灯である。家宅に不正侵入があった時、老人、病弱者が図示していない緊急スイッチを押したときに作動する。
【００４３】  この警報音は一定時間、１０分間、１５分間鳴動したら自動的に停止する。近隣に騒音を撒き散らすという公害になる。警報を知らせる表示灯は、異常事態の処理が終わるまで点灯を続ける。４１は周囲に報知する表示灯と警報音である。表示灯は人の目に付くように赤、黄色という極彩色の色を回転しながら、或いは点滅して周囲の関心を注力する効果がある。
【００４４】  異常があった時、家宅、オフィスの責任者３９は、携帯電話機３８から異常の状況をコールセンター１９から知らされる。異常がなくても３９の人の依頼によって現在の状態を知ることができる。出張中、海外に滞在していても安心できる。
【第３実施形態】
【００４５】  図３はＲＦＩＤの内部構成を示した模式図である。６６の高周波アンテナと７０のセンサ以外の要素は、わずか１ｍｍ×１ｍｍ程度の大きさである。６２は内部のシステムバスであって、６２はＣＰＵ（演算部）、６４はデータを記憶するメモリである。ここでは、ガラス材の材質、施工年月日、取り付け位置、家宅の場所情報、補修年月日等が記憶されている。
【００４６】  このメモリ部６４は、センサ７０から入力した情報を一時的に格納して、情報の判断材料にすることができるテンポラリデータメモリの機能をもっている。６５は高周波回路部であって、８００ＭＨＺ，２．４５ＧＨＺの変調と発信をおこなう。
【００４７】  ６６はパッチアンテナである。パッチアンテナは印刷技術によって大量生産が可能なため、インピーダンス整合回路も、別途、電子部品を取り付けること無しに実現できる。本例では、ガラス材そのものに印刷するか、貼り付けるだけでよい。６７は電源部であって電源のコントロールを行う。
【００４８】  ６８は電池である。本例でのＲＦＩＤはアクティブ型を示した。ここではボタン型電池、紙のように薄い数ミリ程度の電池、又は、ソーラセル（太陽電池）を使用する。パッシブ型のＲＦＩＤは、６６の高周波アンテナを別に設けてＴＡから給電用の高周波電波を送ってもらい、電池６８に電源を蓄える方法もある。
【００４９】  ６９は、ＲＦＩＤチップの外部とのインタフェース部であって、ここを経由して外部の部品を接続する。７０はセンサであって本例では破壊センサである。ガラス材に添付してある導体がガラスの破断によってインピーダンス、又は誘電率が変化する。この変位をＣＰＵ６３が演算して検出する。
【００５０】  ガラス材の破損が検出されたら６５の高周波発信部からアンテナ６６を介してＴＡ５６に発信する。ＴＡ５６はコールセンター１９に通知して異常事態かどうか判断する。異常と認識したら、所定の処理をおこなって家宅、オフィスの責任者に携帯電話にて通報する。
【００５１】  図４は、ＲＦＩＤの通信方式の一例であるＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）を示す。通信は、同一空間で多くの無線を共存して、同一システムがその空間を電波的に効率よく利用するために多重化が行われる。多重化には、種々な方式がある。偏波面分割多重化（ＰＤＭＡ：ｐｏｌａｒｉｚａｔｉｏｎ  ｄｉｖｉｓｉｏｎ  ｍｕｌｔｉｐｌｅ  ａｃｃｅｓｓ）、周波数分割多重化（ＦＤＭＡ：ｆｒｅｑｕｅｎｃｙ  ｄｉｖｉｓｉｏｎ  ｍｕｌｔｉｐｌｅ  ａｃｃｅｓｓ），時分割多重化（ＴＤＭＡ：ｔｉｍｅ  ｄｉｖｉｓｉｏｎ  ｍｕｌｔｉｐｌｅ  ａｃｃｅｓｓ）等がある。
【００５２】  直交周波数分割多重化、ＯＦＤＭ方式は図４に示すように複数の情報を同時に複数の搬送波（マルチキャリア）で伝送する。ＯＦＤＭ方式は、情報のシンボルレートと搬送波の間隔を等しくとり、サイドロープの重なる部分において隣接する搬送波をお互いに直交させて、各々の搬送波が干渉しないように工夫した。
【００５３】  ＲＦＩＤのよう数多くばら撒いて使用するような、同一の場所で多くの電波を共有する場合には、有効な多重化方式である。高速移動体、デイジタルＴＶ，次世代携帯電話にも応用が可能な方式である。
【００５４】  図５は伝送におけるＲＦＩＤチップからパケットで送信される、データの情報の構成を示した図である。６１はパケットのフィールド構成を示したものである。６１ａはフラグであって、パケットの最初と最後の境界を示している。６１ｂはＬＭＩＤＬＣｌアドレスを示す。アドレス情報が格納されている。
【００５５】  ６１ｃはポール／最終ビットのセットを行う。６１ｄはパケット列のフレームを示す定数値である。６１ｅは数値は通常０である。６１ｆはステータス照会、ステータスメッセージを示す。６１ｇは情報要素を任意に含む可変長フィールドである。ここにセンサ７０が捕らえた情報が載ってくる。
【００５６】  ６１ｈは伝送されたデータの整合性をチェックするフィールドであって、６１ｉは最後のフラグである。すなわちパケットは各々のＲＦＩＤから連続して、ＴＡからの質問信号に応じて送信する。最初のフラグ６１ａ、最後のフラグ６１ｉにてＲＦＩＤの区別を行う。
【００５７】  異常を検出したＲＦＩＤは、割り込みをかけてＴＡに伝送する。その場合６１ａのフラグは異常を知らせる数値のフラグをたてて割り込みを行う。これによって、ＴＡは異常事態をいち早く認識してコールセンター１９に報知できる。
【００５８】  図６は破壊センサ５５とＴＡ５６との信号の交信を示す状態遷移図である。まずＴａから質問信号をセンサに発信する。ａ，ａ’間である。次にセンサから返答信号が送られる。ａ’，ｂ間である。このように順次Ｔａは各々のセンサ５５に質問を繰り返して異常値のチェックを行う。
【００５９】  Ｔａから送った質問信号ｅからセンサはｘ’にて異常状態であることをｘにてＴａは受領した。直ちにＴａは異常事態発生を１９のコールセンターに報知する。Ｔａはさらにどんな異常事態か内容の確認を行う。ｘ，ｑ’で示す交信である。
【００６０】  異常事態の内容の確認は、図示していない監視カメラ、又は図示していないＩｒＤＡ（遠赤外線素子）を随所においてこれを監視センサにして異常の程度を把握する。ｑ’，ｑにて示す。人の不正侵入か子供のいたずらか、風水害、火災によるものか、老人、病弱者の救護かが判断かのうである。コールセンターによって認識して異常の程度に応じた処置をする。
【００６１】  ｑ，ｅ’にて再び質問信号の交信があってｅ’，ｅとたのセンサ、ＲＦＩＤと交信を続ける。Ｔｙに示すように他に異常がないかどうか質問信号を発信してセンサからの応答を解析して順次絶え間なく、安全確保のためにこの動作は継続する。
【第４実施形態】
【００６２】  図７、図８に第４実施形態を説明するフロー図を示す。図７は窓ガラスを破って賊の侵入に対する対処方法を説明したものである。Ｓ６０１はＴＡ５６によるセンサ５５に質問信号を送ってガラスの状態をチェックしている。
【００６３】  Ｓ６０２はＴＡから異常があるかないか、質問信号を送ってＳ６０３においてセンサ５５から応答を待っている。Ｓ６０４は、センサから応答信号が返ってきた。この信号の解析をしてＳ６０５において、異常があるかどうか判断する。異常がなければＳ６０２に帰って次のセンサに質問信号を送る。これを繰り返しおこなって異常値の検出を行う。
【００６４】  Ｓ６０６は何らかの異常が検出された。このデータの解析を行ってＳ６０７では、人の侵入が検知された。Ｓ６０８は不正侵入か、いたずらかの確認作業をＳ６０８にて行う。確認は家宅、オフィスに監視カメラ、ＩｒＤＡによる検知装置があれば、これで確認はできる。
【００６５】  あるいは、近隣住民、介護人、ガラス会社と契約している補修業者、警備会社の人に確認をコールセンター１９から依頼する。Ｓ６０９は賊の侵入が確認された。場所と位置の認識をおこなう。Ｓ６１０は周囲に分かるように警報音を発生するのと、ランプを点灯して報知する。
【００６６】  警報音、警報ランプの点灯はコールセンターに通知がなくとも家宅３１、オフィス３３のＴＡ５６が判断して発生する。ただし警報音は、周囲への騒音の発生になるから１０分か１５分間でとめる。最初の３，５分は大きな音を発生してその後小さな音を継続して発生しても良い。警報ランプは、処置がおわるまで点灯を続ける。
【００６７】  Ｓ６１１はコールセンターによって現場の確認作業が終わって、異常事態であることが認識された。直ちに最寄の警察署に１１０番通報して警察官の出動を要請する。Ｓ６１２は警察署への通報によって、警察官が現場に駆けつけた。賊の逮捕と被害者の救援を行う。
【００６８】  Ｓ６１３は人の侵入を検出したが、特定できなかった。原因の解析と認識を行う。Ｓ６１４は異常状態の内容の特定をおこなう。ガラス会社の代理人、近隣住民、協力者の見聞を下に特定をおこなう。
【００６９】  Ｓ６１５は何らかの異常があったかどうか判定する。Ｓ６１６では異常があったと認識された。Ｓ６１７は管理センター１９と契約している警備会社の警備員、あるいは代理人が急行して異常事態の詳しい内容を調査する。Ｓ６１８において、家宅、オフィスの責任者に携帯電話機、通信手段をつかって詳細な報告をする。Ｓ６１５の判定で問題がなくても異常信号が検出されたことをＳ６１８において家宅、オフィスの責任者に通報する。
【００７０】  Ｓ６１３〜Ｓ６１８までの工程は、子供のいたずら、犬、猫等、小動物を原因とする場合もある。又、強風によって窓ガラスが破損する場合もある。雨、雪による誤動作も考えられる。本システムは、２年程度を目安に保守点検を行っている。点検の日時と担当者もＲＦＩＤチップに記憶されているから解析は容易に行える。
【００７１】  図８は図７のＳ６０８において異常が検出されて、ガラス材が破壊されてしまった。この修理に付き詳細に説明したフロー図である。Ｓ７０１はガラス材の破損箇所の特定を行う。Ｓ７０２は顧客名、家宅、オフィスの位置と場所を確認してＳ７０３では、破損ガラス材の材質、寸法をＲＦＩＤ５５のセンサから認識する。
【００７２】  Ｓ７０４では、管理センター１９から顧客に破損状態と修理日時、見積もりを連絡する。Ｓ７０５は修理材料の手配を行って、Ｓ７０６において修理人を顧客宅、オフィスに行かせる。Ｓ７０７では修理作業が行われて、Ｓ７０８は顧客に管理センター１９より修理代金の請求を行う。
【００７３】  Ｓ７０９は管理センターにて代金の受領を確認する。賊の侵入によって破壊された場合には、警察署から被害証明書を発行してもらって、保険金の請求を顧客よりおこなう。風水害等の災害の場合も事故証明書を自治体、警察署より発行してもらって、同様に保険金の請求を被害者よりおこなう。
【第５実施形態】
【００７４】  図９に示す本実施形態は、窓ガラスの定期メンテナンスと老人、独居病弱者や乳幼児の保護に付き説明したフロー図である。Ｓ８０１は管理センター１９より家宅、オフィスの窓ガラスのチェックをセンサ５５のＲＦＩＤからおこなう。これは管理センターにて定期的、自動的に行うものである。
【００７５】  Ｓ８０２は定期メンテナンスの時期が来たことを認識する。センサ５５の電池の交換、破壊センサ５５の作動確認の必要がある。Ｓ８０３において、メンテナンス、補修の時期の確認を行う。Ｓ８０４は定期メンテナンスの時期がきていた。Ｓ８０５では、顧客に補修のための来訪日時を顧客と相談して決める。電話でも、電子メール、郵便でも連絡手段を使ってもよい。
【００７６】  Ｓ８０６は窓ガラスの補修作業を行う。これは管理センターと契約してある顧客の最寄の代行業者によって行われる。Ｓ８０７は防犯、防災システムの補修が終わって機能を確認する。５５の破壊センサは透明なマイラー状の薄膜体であって、これを窓ガラスに張り替えれば補修は終了する。あとはガラス材に破損があるかないか、チェックして破損、磨耗していれば交換する。
【００７７】  Ｓ６０８は機能テストをして正常であることを確認する。正常な動作をしなければ、Ｓ８０６に戻って正常な動作をするまでメンテナンスする。正常であればこの工程を終了する。
【００７８】  Ｓ８０９は定期メンテナンスでなく異常信号を受信した。Ｓ８１０はセンサ５５が人の不法侵入を検知した。賊の侵入であれば図７のＳ６０６にスキップして異常事態の解析を行う。Ｓ８１１は異常であっても、緊急ボタンを家宅人は押していた。警報音が作動して周囲に知らせるのと、表示灯が点灯する。要介護信号であった。
【００７９】  Ｓ８１２は要介護者の状態の認識をおこなう。監視カメラ、ＴＶ電話があれば状況を見て判断する。あるいは近隣住民、地域自治体、管理センターの代理人が急行して確認する。Ｓ８１３は病気、怪我の状況を把握する。病気、怪我の確認ができたらＳ８１４にて管理センター１９より最寄の消防署に１１９番通報して救急車の出動を要請する。
【００８０】  Ｓ８１５では家宅人、保護者、民生委員に連絡して後の処理を依頼する。Ｓ８１３において、病気、怪我ではなかった。Ｓ８１６は災害によるものと認識された。Ｓ８１７では管理センター１９から家宅の責任者に災害による破損状態を報告する。Ｓ８１８は補修の必要があるかどうか判断する。
【００８１】  補修の必要があればＳ８０６にてメンテナンスの確認をおこなう。チェックを行って正常であればこの工程を終了する。補修の必要がなければこの一連の工程は終了する。
【００８２】  以上説明したように、防犯、防災ガラスに破壊センサ５５を添付して、センサにあるＲＦＩＤタグから情報を収集する。管理センター１９は統括して顧客の監視を２４時間体制でおこなう。ＲＦＩＤタグと人侵入センサ、さらに緊急ボタンを備えることによって要介護人、乳幼児、弱者の安全を確保できる。
【００８３】  管理センター１９は、日本だけでなく少なくとも時差が８時間ある海外に３，４箇所設置すれば、国際回線をつかって２４時間監視ができて安価で安全確実なシステムを提供できる。
【図面の簡単な説明】
【００８４】
【図１】  第１実施形態の全体構成を示したシステム図である。
【図２】  第２実施形態の家宅、オフィスの詳細な構成示した図である。
【図３】  第３実施形態のＲＦＩＤチップの内部構成を示した図である。
【図４】  同、多重搬送通信方法を示した図である。
【図５】  同、通信パケットの内容を示した図である。
【図６】  無線集端装置とセンサとの交信を示した状態遷移図である。
【図７】  第４実施形態を説明したフロー図である。
【図８】  同、詳細説明をしたフロー図である。
【図９】  第５実施形態を説明したフロー図である。
【符号の説明】
【００８５】１１                    情報通信網、インターネット網、高速電話回線
１２、２９              コールセンターウェブサイト
１３                    補修会社、コールセンター代理会社
１４                    一般情報通信ウェブサイト
１５                    携帯無線会社専用ウェブサイト
１６                    携帯無線専用線
１７                    携帯無線基地局
１８                    コールセンター専用線
１９、３６              コールセンター（管理会社）
２０、２１              サーバ
２２                    電話インタフェース端末機
２３                    電話回線
２４                    警察署、消防署
２５、２７              国際回線インタフェースウェブサイト
２６                    国際回線、国際インターネット
２８                    海外網
３０                    公衆通信線
３１、３２、３３、３４  家宅、オフィス、工場
３５                    無線アンテナ
３７                    携帯無線電波
３８                    携帯電話機、携帯端末機器
３９                    人、顧客
４０                    警報音、警報照明灯発生器
４１                    警報音、照明灯
４２                    構内ＬＡＮ（ｌｏｃａｌ  ａｒｅａ  ｎｅｔｗｏｒｋ）
５１                    家宅、オフィス
５２                    窓ガラス
５３                    ドア、出入り口
５４                    ロフト窓ガラス
５５                    破壊センサ、ＲＦＩＤタグ
５６                    無線集端装置、ＴＡ（ｔｅｒｍｉｎａｌ  ａｄａｐｔｅｒ）
５７                    無線集端装置のアンテナ
５８                    微弱電波
６１                    パケット列
６２                    ＲＦＩＤＩＣタグ内部バス
６３                    ＣＰＵ，中央演算装置
６４                    メモリ
６５                    高周波回路
６６                    高周波アンテナ、パッチアンテナ
６７                    電源部
６８                    電池、バッテリ
６９                    ＩＯ部、入出力部
７０                    インピーダンスセンサ、誘電率検出センサ
【図１】
2008027416.tif 000003
【図２】
2008027416.tif 000004
【図３】
2008027416.tif 000005
【図４】
2008027416.tif 000006
【図５】
2008027416.tif 000007
【図６】
2008027416.tif 000008
【図７】
2008027416.tif 000009
【図８】
2008027416.tif 000010
【図９】
2008027416.tif 000011